(57)【要約】   【課題】 通電したままコードリールを使用する場合はドラム上のコードと電源側を電気接触子で接続しなければならないし、無電気接触子でコードの長さに制約を受けない安価、構造簡単、長寿命、操作容易で、誰でも取り扱いを可能とする装置を提供する。【解決手段】 給電コードとドラム上の延長コードを直接続し、ドラムを給電コードの電気、機械的機能を損なわない許容範囲内まで回して延長コードをドラム上に巻き取る。そのコードが戻らないようにドラム上のパイプ、溝に引っかけてから、ドラムを給電コードの許容範囲まで逆転して巻き取る。繰り返せば巻く長さに制約を受けない。ドラムを順転、反転してもコードは巻き取られる。コードを解す場合、コードを引っ張れば巻くときと逆の順番で動作が起こり、自動的に解かれる。又は給電コードの許容範囲内毎に給電コードを左右に振る。また本装置はコードを流体用ホースに換えれば液体、気体にも応用出来る。【選択図】  図１
2008024501.tif 000002
【特許請求の範囲】
【請求項１】
電気を供給する給電コード６、使用場所への延長コード７、その延長コードを巻き付けるドラム２、延長コードの巻き戻しを防ぐコード戻り防止体１から成り、給電コードをドラム側の延長コードと無接点で接続し、または一本のコードで通し、ドラムを給電コードの巻き取り回数又はねじれ回数の許容範囲以内で回転させてドラム側の延長コードを巻き取り、ドラム面上に設定したコード戻り防止体に引っかけて、ドラムを給電コードの許容範囲以内で逆回転させてドラム側の延長コードを巻き取る装置。      
【請求項２】
ドラム２面上に設置した支持体とその支持体上に支点を持つアームに給電コードを設置して延長コードと無接点で接続し、又は通し、支持体の支点を中心として給電コードの巻き取り回数又はねじれ回数の許容範囲以内毎にアームを左または右に、延長コードをドラム面の右又は左に振り、ドラム側の延長コードを巻き取る装置。
【請求項３】
請求項１に於いて、ドラム２の側面を平ぽったく又は板状にし、脚８又は取っ手９を伸縮又は折り曲げ又は平行にして格納に便利にした装置。
【請求項４】
請求項１に於いて、給電コードを、緊張させた動滑車と定滑車に掛けて弛まないようにした装置
【請求項５】
請求項１又は２に於いて、 給電コード６の許容範囲以上にドラム２が回るのを防ぐために、一定の長さのひも状または帯状のものの一端を固定し、他端をドラム２の車軸３またはそれに関連したものに取り付け又は給電コードの許容範囲角度を３６０度以内に回転数を落とし、ストッパーに当てて、又は請求項１に於いてドラムの軸３にネジを設定して、軸３を左または右に移動させコードの許容範囲角度以内に設けたストッパーに当てて、ドラムの軸３の回転を制動した装置。
【請求項６】
請求項１に於いてラック歯車１９−１が往運動又は復運動する毎に、コード７保持具２３がコード戻り防止体で分けられたドラム上の片面を往復し、コード戻り防止体にコード７が引っかかるようにもう一方の片面に移動してからドラムを逆回転するようにした又はコード７の先に設定したスイッチで、ラック歯車１９−１の駆動源の回転を制御した装置
【請求項７】
請求項２に於いて側板に弦状にアームが入る切り欠け穴をあけ、コードでアームが回転、振って入るようにした装置。
【請求項８】
請求項１又は２又は３又は４又は５又は６又は７に於いて、電気コードを流体を流すホースに換えた、回転継ぎ手無しホースリール装置。   
【発明の詳細な説明】
【技術分野】
【０００１】
本発明は、電源の無い場所でも電気が使えるように電気コードを延長する装置に関する。また電気コードの代わりに液体、気体を流すホースにも使用出来、液源、気体源の無い場所でも液体、水、気体、空気が使えるようにホースを延長する装置にも関する。
【背景技術】
【０００２】
電気を使用しながら電源コードを延長する方として、束ねたコードを解いて伸ばす、ドラムに巻き付けたコードを伸ばすなどの方がある。
【０００３】
しかしコードを束ねるのは煩わしいし、解く場合、絡み合うこともあり作業時間が長引く。またねじれてしまう。ドラムに巻き付け、また解くのはスムーズに行くが、静止の電源、給電側と回転のドラム側とは接点で接続しなければならない。使用経過とともに接点は摩耗し、接触不良を起こす。火花が出るのでガスなどの危険場所では使えない。
【０００４】
この改善策として、静止の給電側と回転のドラム側を渦巻き状の柔軟性のコードで接続し、無接点とするがある。
【特許文献１】特許第２８１６９６４この場合、渦巻き状の柔軟性のコード長さは有限なのでドラムに巻かれるコードの長さも有限になってしまう。
【発明の開示】
【発明が解決しようとする課題】
【０００５】
解決しようとする問題点はドラムに巻かれるコードの長さが有限、制約を受ける点である。
【課題を解決するための手段】
【０００６】
本装置はドラム上の中間位置にコード戻り防止用パイプ体を設け、ドラムを正転、逆転するごとにそのパイプにドラム上のコード、延長コードを引っかける特徴的な、コードのドラムへの巻き方をして、ドラムを正転、逆転しても一方向に送り出し、または収納出来るものである。また給電側のコード、給電コードもドラムに連動して正転、逆転するが普通の巻き方なので、巻き、戻しまたはねじれ、戻しを繰り返すだけなので、コードが引っ張り切断またはねじれ切断されることがない。
また本装置はドラムの側壁周辺部に左右に振れるように給電コードを設置し、許容範囲以内までドラムを回転したら、給電コードを反対側に半回転、移動させ、さらにドラムを同方向に回転させ延長コードを巻き取る。この場合前記と違い、ドラムを同一方向に回転させ、延長コードを送出、巻き取れる。
疲労断線するまで際限無く繰り返せる。よってドラム上のコードも際限無く巻け、または解ける。
【発明の効果】
【０００７】
本発明の装置はドラムの中間位置にコード戻り防止用パイプを設ける、または給電コードを左右に振れるように設けるだけなので、非常に低コスト、簡単な構造で故障が少ない。無接点なので長寿命、保守簡単で、火花がでないので、引火しやすい所でも使用できる。また一本の連続したコード又は接続点を絶縁テープ等で絶縁強化したの場合、漏電することがない。またホースの場合漏れが無い。
【発明を実施するための最良の形態】
【０００８】
安価、汎用な部品、最少な部品点数、簡易な構造で容易な設置、操作を実現した。
【実施例】
【０００９】
本装置は本装置に電気を供給する電源、給電コード６、使用場所への延長コード７、その延長コードを巻き付けるドラム２、延長コード７の巻き戻しを防ぐ突起物、コード戻り防止体１また場合によりその延長コードを案内、巻き崩れを防ぐ側板４から成る。
図１は本装置の外観斜視図である。脚８で安定させ、電源、給電コード６を側面が円形のドラム２の側面から挿入し、ドラム２上のコード、延長コード７と電気接触子、電気接触点無し、無接点で直に接続する。例えば圧着、はんだ、ネジ止め、挟み込み等である。取っ手５でドラム２を正転、逆転回し、延長コード７を延長コード７戻り防止用パイプ、体１に引っかけ、延長コード７を巻き取り、その巻き取ったコードの崩れ防止と案内で側板４を使い、コードを出し入れする。コードが崩れなければ側板４は無くてもよい。また延長コードを給電コード、給電コードを延長コードとして使えば電気を使用しながらコードリールを移動できる。取っ手９で持ち運べば便利である。本図ではドラム片側支持だが、両側支持でもよい。                                          図面で丸数字１
また前記の、図面で丸数字１のドラム２の側面を長径、短径を形成するように潰した扁平例えば楕円にして、脚８、取っ手９を伸縮可動にしてもよい。使用する場合、側板４がぶつからないように脚８、取っ手９を伸ばす。格納する場合、ドラム２の長径面を水平にして、脚８、取っ手９を縮めればコンパクトになり便利である。コード７戻り防止用パイプ、体１はドラム面の何処にでも設定してよいが長径の部分が望ましい。格納時コンパクトになる。側板４−１はコード７の巻く長さに合わせてスライド出来るようにしたものである。側板４−２はドラム２に固定したものである。                                                               図面で丸数字２
また前記の、図面で丸数字１のドラム２を板にして、脚８、取っ手９を回転可動にしてもよい。使用する場合、脚８、取っ手９を安定角度に設定する。格納する場合、脚８、取っ手９を板の長径と平行にすればコンパクトになり便利である。コード７戻り防止用パイプ、体１はドラム面の何処にでも設定してよいが長径の部分が望ましい。格納時コンパクトになる。側板４−３はドラム２と一体成形したものである。制作が容易である。側板４−４は後からドラム２に設定したものである。側板は、図面で丸数字２のようにコード７の巻く長さに合わせてスライド出来るようにしてもよい。コード７が当たるドラム２の長径部分は傷つけないように丸みを持たせる。                           図面で丸数字３
ドラム２の側面形状はコードが巻ければ線状、面状等どういうものでもよい。偏心しててもよい。
【００１０】
図２は本装置の静止の給電コードと動の回転のドラム側の延長コードとの接続動作の原理を表したものである。
給電コード６の一端をプラグ１０、他端をドラム２の側面に直線状に接続したもので、給電コードのコードに損傷を与えない、電気又は機械的機能を損なわない許容ねじれ範囲以内で回転すれば、プラグはある程度の回転力と引っ張り力を受けるがそれに耐えうるよう設置すれば動かない。他物例えば脚８、壁、床、あるいは地面に打ち込まれた杭などの建造物に給電コード６を固定してからプラグ１０に接続すればプラグ１０には全く力は加わらない。引っ張られる場合は給電コードにたるみをもたせればよい。逆転させれば元に戻る。さらにそのまま回転（逆転）させれば初回の正転時の２倍回転数が得られる。給電コードはねじれやすく、引っ張り力に強く、疲労断線しにくいものがよい。
図面で丸数字１
給電コード６の一端をプラグ１０、他端をドラム２又はドラム２と同じ回転軸を持つ面上に渦巻き状に巻き付け、接続したものでコードに損傷を与えない、電気又は機械的機能を損なわない、巻き取り長さ範囲以内で回転すればプラグはある程度の引っ張り力を受けるが、それに耐えうるよう設置すればプラグは動かない。他物に給電コード６を固定してからプラグ１０に接続すればプラグ１０には全く力は加わらない。給電コードは曲げやすく、引っ張り力に強く、疲労断線しにくいものがよい。        図面で丸数字２
給電コード６の一端をプラグ１０、他端をドラム２と共に回るアーム１−１に接続固定したドラム２−１に渦巻き状に接続したもので、ドラム２を一方向に回転して、給電コード６の巻き取り長さ範囲以内ごとに、ドラム２上に設置したパイプ状の支持体１−０上の支点１１を中心にして１８０度そのドラム２−１をアーム１−１と共に回転、左又は右に振ればドラム２−１の正転、逆転が交互に起こり、巻き、戻しを繰り返す。パイプ状の支持体１−０の長さはドラムにコードが最大限巻かれた時の厚さ以上である。パイプ状の支持体１−０とアーム１−１を柔軟性を有するもの（例えばゴム）で一体化してもよい。任意の位置が支点１１になる。また後で述べる図１１で、図２の丸数字１のねじれを利用してもよい。許容範囲以内でプラグ１０はある程度の引っ張り、回転力を受けるが、それに耐えられるように設置すれば、ドラム２を一方向に回転してもプラグは動かない。他物に給電コード６を固定してからプラグ１０に接続すればプラグ１０には全く力は加わらない。給電コードは曲げやすく、引っ張り力に強く、疲労断線しにくいものがよい。                          図面で丸数字３
以上は電気コードの代わりに液体例えば水、気体例えば空気を流すホースにも流用出来る。本装置は液体、気体を供給する液体、気体供給ホース６、使用場所への延長ホース７、その延長ホースを巻き付けるドラム２、延長ホース７の巻き戻しを防ぐホース戻り防止、パイプ体１また場合によりその延長ホースを案内、巻き崩れを防ぐ側板４から成る。操作、使用方法は電気コードと同じである。液体、気体源からの静的な供給ホースと回転する動的な延長ホースをグランドパッキン、シール等で液体、気体を封じてつないだ回転継ぎ手無し、無接点で直に接続出来るので液体、気体漏れがない。ホースは内容物を漏らさなく、曲げやすく、引っ張り強く、内面がつぶれにくいものがよい。ホース材質はゴム、合成樹脂性などがある。また以下に述べることもホースに流用出来る。
【００１１】
図３は延長コード７をドラム２に巻き付ける方を説明する図である。延長コードは曲げやすく、引っ張り力に強く、疲労断線しにくいものがよい。図でパイプ１の上側から、給電コード６と結ばれた延長コード７を図２の給電コードの許容ねじれ、巻き範囲以内でドラム２をθ１度回転しながら巻き付ける。これ以上巻けないので逆転しなければならないがこのまま逆転すると延長コード７は解けてしまうので、手でドラム面上の中間（面上の真ん中を含む任意の位置）位置にあるコード７戻り防止用パイプ１に引っかけ、図でパイプ１の反対側、下側に移動させて戻り、解けを防止する。ドラムの表面をパイプ１を境にして逆転用と正転用に分ける。また延長コード７をパイプ１の反対側に移動させても元と同方向に回転させる、あるいは正転時に逆転時と同面に巻けば逆転用と正転用は混在する。混在させてもよい。                                図面で丸数字１
給電コード６の図２の許容範囲以内でドラム２をθ２度正転しながら巻き付ける。以上延長コード７の巻き取り可能長さθｎまで繰り返す。パイプ１が１本の場合はθ１〜θｎの値は同じだが、複数本ある場合は違えることも出来て、柔軟に対応できる。延長コード７を引っ張ればドラム２はその力で回転し、パイプ１をすり抜けて自動的に解けていく。ドラムを回転支持するのに車軸３を使用してもよい。２回目以降のドラム回転角度は巻く長さが一定なら、１回目、最初のドラム回転角度の２倍とれる。   図面で丸数字２
また側板４をパイプ体１と兼用させてもよい。ドラム面上の片側または両側の端面、側板４に、中心軸３より外側に向けて、放射状に複数の、コード７が入る幅の、ドラム面上に突き出た切り欠け溝を入れ、ドラムの回転方向を変える毎にその溝にコード７を挿入し、回し、引っかける。あるいは複数のパイプ体１をドラム上の片側または両側に、ドラム面上に突き出た放射状に設定して、側板４と兼用させ、ドラムの回転方向を変える毎に引っかける。両側の側板の溝またはパイプ同士に回して引っかけてもよい。コード７の曲がり半径を大きく取れ、コード７の損傷が少ない。格納型等の取っ手以外のコードが取っ手５に引っかかる取っ手の場合はその取っ手が付いた引っかけ体は使わない。                                                                          図面で丸数字３
ドラム面上の中間位置から突き出たパイプ状の物に支点を持つ中空のアーム１−０内にコード６を挿入しドラムを経由してコード７と接続する。アーム１−０が無い面、右面か左面にコード７を図２の許容範囲まで回して巻く。アーム１−０を半回転し、またコード７がアーム１−０にぶつからなように反対面、左面か右面に移動させてコード７を図２の許容範囲まで同方向回転して巻く。ドラムの回転方向を一方向に出来る。以上を繰り返す。     図面で丸数字４
最初、給電コード６の許容範囲までドラム２をθ１度正転しながら巻き付ける。そしてアーム１−０と巻く面を移動させ、次回、ドラム２をθ２度正転しながら巻き付ける。以上延長コード７の巻き取り可能長さまで繰り返す。θ２はθ１の２倍とれる。       図面で丸数字５
【００１２】
図４は図２の図面で丸数字１を利用して、取り替えられるよう給電コード６と延長コード７を接続１５したものである。ベアリングなどで自在に回転出来るようにした中空の車軸３内から延長コード７を引き出し、コード６と接続し、コード６の外形に合った一対の押さえ板１３−１または１３−２で挟み、車軸３に挿入、押し戻し、ネジを切った貫通穴１２−２にボルト１４をねじ込んでコード６を固定するものである。給電コード６と延長コード７が同一のものなら接続１５はいらない。図３の許容θ度を大きくするには、コードのねじれ角度の大きいものを使えばよい。丸形コード（１３−２側）より平型コード（１３−１側）のほうがねじれやすい。またコード６の全体または一部を電話コードのようにカール状に巻いてもよい。
ドラム片側支持で無支持側の場合中空の車軸３は必要なく側板の任意の位置でコード６とコード７を接続出来る。
一般に、ドラムを正、逆転して使う場合、コード６を側板の任意の位置から引き出してもよい。たとえ車軸３に巻き付いても、逆転させれば解けるからである。また車軸３に自在に回る筒を被せてもよい。コードが自在に回る筒にからみついてもコードは移動できる。
【００１３】
図５は図２の図面で丸数字２を利用したもので、コード６の挿入を脚８の内（図で右）側からと外（図で左）側からの場合を示す。コード６の挿入をドラム面状からできる。また内側の場合、ドラム２の面と同一にすればドラム２の面の一部を流用出来、制作、操作に便利である。図面で丸数字１は外観斜視図、図面で丸数字２は側面断面図を表す。車軸３と脚８、取っ手９はベアリングなどで介して接続されているが、それ以外は固定接続されている。出来るだけ図３の許容θ度を大きくするには、側板４−２、４−３のサイズを大きくして巻き取るコードの長さを多くする。または厚さの薄いコードを使う。厚さが薄く、幅広のコードなら解けたとき左右に倒れにくい。
コード６を側板４−２のドラム内、ドラム２内と挿入しドラム２の外に出す。または途中でコード７と接続する。
コード６を側板４−３のドラム内、中空の車軸３内、ドラム２内と挿入しドラム２の外に出す。または途中でコード７と接続する。
またコード６の全部又は一部をコード６又はコード７の巻き取りドラムの表面又はそれらに類する、関するものに沿わせて配線し、コード６又はコード７の巻き取りドラム又はそれらに類する、関するものの表面上でコード７と接続してもよい。コード６設定時ドラムの表面から離れないように紐、ネジ、留め具などで結束、固定する。コードの設置、交換、保守がし易い。
一般に、ドラムの側面断面形は円形でも、扁平でも任意の形でよい。また中心は偏心していてもよい。コードを巻き取れればいいからである。
【００１４】
図６は図５のものを、出来るだけ図３の許容θ度を大きくするためとコード６をからませない、たるませないように動滑車１６−１、定滑車１６−２を使ったものである。動滑車は弾性体例えばゴム、引っ張りバネ１７で緊張、吊されている。コード６の一端を脚８に固定し、他端を動滑車、定滑車にかけて中空の車軸３につなげ、巻き取る。コードを巻き取り、巻き戻し始めると動滑車が動き、引っ張りバネ１７でコードが弛まないように緊張して吊るす。
引っ張りバネ１７の代わりに重し、重りで引っ張って緊張させてもよい。図６のように動滑車が定滑車の上にある場合は力の方向を変える定滑車を設定して、動滑車が定滑車の下にある場合は直に動滑車に重りを加える。
【００１５】
図７は取っ手５−１を一方向に回転してもドラム２を正転、逆転出来るようにしたものである。手で延長コード７をパイプ１に引っ掛ける。ラック歯車１９−１の往運動、復運動を車軸３に付けたピニオン歯車１９−２の回転運動に変え、ドラムの正転、逆転運動に対応させる。取っ手５−１のついた円盤１８の代わりに正逆転モータ２０を使って回転させてもよい。手の代わりに駆動源を使ってコード７の巻き取り、解きが出来る。延長コード７の巻き取り、送り出しをモータ２０の正逆転スイッチで切り替えて行う。また延長コード７の送り出しの場合延長コード７を引っ張った時モータ２０のスイッチが入るようにしてもよい。例えば次に述べる保持具２３内にコードを引っ張った時入る強さの圧力スイッチを設ける。
またパイプ１にコードを巻くために、ラック歯車１９−１のクランクを持つ車輪の軸を共有する車輪２１−１と車輪２１−２が連動するよう間にベルト２２−１を掛け、その車輪２１−２に連動する車輪２１−３、２１−４間をベルト２２−２を掛け、そのベルトの上辺又は下辺に自在に首を振る輪状のコード７保持具２３を設定したものである。保持具２３の輪の中にコード７を挿入し左右に振る。保持具２３の輪はコードを入れやすいように分割できるのが望ましい。図３の許容θ度でコード保持具２３が図の矢印のように動く（図３のθが変わる（回転方向）時パイプ１の位置よりずれる）、ラック歯車１９−１が往運動又は復運動する毎に、コード７保持具２３がパイプ１で分けられたドラム上の片面を往復し、パイプ１にコード７が引っかかるようにもう一方の片面に移動してからドラムを逆回転するようにそれぞれの車輪２１−１、２１−２、２１−３、２１−４の径の大きさを調整する。確実に同期をとるため、車輪２１−１、２１−２、２１−３、２１−４は歯車、ベルト２２−１，２２−２はチェーンなどがよい。
図面で丸数字１
コード７の先のスイッチでモーター２０の回転を制御するために、制御コードをコード６、７に添わせて（例えば紐で結束、テープで巻き付ける等）又は制御コードを含めた多芯のコード７、６で、電源を雌プラグ２０−３から取り正、逆転スイッチ２０−１、２０−２をくぐらせて、モーター２０の正、逆転端子に入れる。正、逆転スイッチ２０−１、２０−２は同時に入らないようにする。正、逆転スイッチ２０−１、２０−２両方を押さなければモーター２０は回転しない。どちらかを押せばスイッチに対応した回転をする。電圧降下が大きければリレーを経由して正、逆転端子を制御する。
ホースリールの場合は制御コードは３芯必要である。ホースに添わせて配置する。防水機能を完全強化して感電しないようにする。
図面で丸数字２
またコード７の先に正、逆転スイッチに対応した信号の無線発信器を、コード６の電源側にその信号の受信機を設置してモーター２０の正、逆転端子を選択、制御してもよい。
【００１６】
図８は図３の許容θ度以上にドラム２が回るのを防ぐために、給電コード６自体を引っ張り力に強いものに又はベルト状の引っ張り力に強いもを給電コード６に沿わして又はねじれ易く、へたれにくいものにし、コード６の一端を回転部分に、プラグとの中間点を本コードリールの固定部分例えば脚８に、堅牢に固定してドラムを制動してもよいし、また中間点は本コードリール以外の他物、例えば杭、に固定してもよいが、図３の許容θ度以上にドラム２が回るのを防ぐための専用のもので、引っ張り力に強い一定の長さのひも状または帯状のもの２４の一端を車軸３またはそれに関連したものに取り付け、他端を固定したものである。ドラム２が回転するとひも状または帯状のもの２４は車軸３またはそれに関連したものに巻き付いていくが設定長さになると回らなくなる。ドラム２を逆回転すれば回せる。またショックをやわらげる為に他端にゴム、バネなどの弾性体をつけてもよいし、                                                                                                        図面で丸数字１（斜視図）
軸３に固定した円盤３３−１をそれよりも径の大きい円盤３３−２に接続、又は組み合わせて電源コードの許容範囲角度θを３６０度に回転数を落とし、回し、円盤３３−２に設定された１個のストッパー３４−１が脚８に固定されたストッパー３４−２に当たってドラム２の回転を制動してもよい。また許容範囲角度θを３６０度以内に納めるようにして、もう１個のストッパー３４−１を加え、２個のストッパー３４−１の納められた挟角内でストッパー３４−２がそれぞれのストッパー３４−１当たるようにしてドラム２の回転を制動してもよいし、ストッパー３４−２の両端がその１個の ストッパー３４−１の納められた回転角度範囲で当たるように幅広にしてドラム２の回転を制動してもよい。                                                          図面で丸数字２（斜視図）
また軸３に設定した雄ねじを脚８に設定した雌ねじに挿入し、軸３を回し、左または右に移動させ軸３に電源コードの許容範囲θ度以内に設定したストッパー３４−３を脚８に当ててドラム２の回転を制動してもよい。ドラム２が左右に移動するのでコードを平滑に巻き取りやすい。                                                   図面で丸数字３（断面図）
【００１７】
図９はパイプ１の代わりに一つまたは複数の切り込み２５で延長コード７の戻り防止をするものである。コードを入れる時挿入しやすく、保持中は抜けにくく、出す時は抜けやすいものであればどういう形状の切り込み、溝でもよい。切り込み２５にコードを挿入し引っかける。ところどころにに貫通穴２５−１を設けて軽量化してもよい。
【００１８】
パイプ１はコードを入れる時挿入しやすく、保持中は抜けにくく、出す時は抜けやすいものであればどういう形状のものでもよい。パイプ１の平面断面形は円形でも扁平した、平ぽったくした例えば楕円形状でもよいし、また側面断面形は逆三角形状でも三角形状でも四角形状例えば寸胴でもよい。。パイプ１の表面は滑らかなものがよい。
図１０はパイプ１と切り込み２５の側面の逆三角、三角形状のものを表した断面図である。
出し入れしやすいように頂部２６−１に丸みを持たせ、抜けにくいように垂線より内側に直線状に曲げる（２６−２）。滑らかな曲線状に曲げる（２６−３）。また同じ径の細長いパイプ又は棒状の物を２６−２、２６−３の外形に沿って曲げて設定してもよい。側面断面形は逆三角形状の他三角形状でも四角形状例えば寸胴でもよい。                                              図面で丸数字１
出し入れしやすいように頂部２７−１に丸みを持たせ、抜けにくいように垂線より外側に直線上に曲げた切り込み（２７−２）。滑らかな曲線状に曲げる（２７−３）。頂部の間隔はコードの径以上の大きさである。側面断面切り込み形状は三角形状の他逆三角形状、でもU字型形状でもよい。                図面で丸数字２
引っかけパイプ１または切り込み２５の長さは側板４−１より大きくしても、同じにしても、小さくしてもよい。出し入れし易いようにする。またコードの当たる部分は傷つけないように丸みを持たせる。
【００１９】
図１１は図２の図面で丸数字３でねじるを利用したもので、側板４−１の周辺にアーム２８を受ける切り込みがある。図２の図面で丸数字の１コード６を中空のアーム２８、支持パイプ１−０に引き入れ、コード７と接続したものである。巻く場合、アーム２８を握り、側板４−１を一方向に回転して、図３の許容θ度回転したら手でアーム２８を支持パイプ１−０の側面に持つ支点１１を中心にして反対側に移動させ、切り込みに挿入、止める。同時にアーム２８がコード７に当たらないようにドラム上のコード７の巻く面も手で隣に移動させるものである。またθ度回転したらアーム２８と巻く面を移動させる、以上を繰り返す。解く場合は逆回転動作すればよい。操作するのに一人がコード７を伸ばし、もう一人が声を掛けながらドラムとアームを回転させてもよい。アーム２８が外れないようにと、側板４−１がスムーズに回転出来るよう設けた空回りする車輪３０が入らないように開閉できるあて板２９を設けてもよい。
側板４−１を図３の許容θ度以上回転しないように、車輪３０を車輪３０よりも径の大きい円盤に接続、又は組み合わせて電源コードの許容範囲角度θを３６０度に回転数を落とし、回し、円盤に設定された１個のストッパーが車輪３０の支持枠に固定されたストッパーに当たってドラム２の回転を制動してもよい。アーム２８を反対側に移動させ、ストッパーを中心方向にスライドさせてストッパーどうしの当たりを外し、側板４−１を少し回転させ、ストッパーどうしの位置関係が逆になったらストッパーを元に戻し側板４−１を回し続ける。またコード６をねじれ、引っ張り力に強い仕様にし、その制動力でドラム２の回転を制動してもよい。
またコード６の全部又は一部をアーム２８又は支持パイプ１−０又は巻き取りドラムの表面に沿わせて配線し、アーム２８又は支持パイプ１−０又はコード７の巻き取りドラムの表面上でコード７と接続してもよい。コード６の配線、設定時コード６がアーム２８、支持パイプ１−０、ドラムの表面から離れないように紐、ネジ、留め具などで結束、固定する。コードの設置、交換、保守がし易い。コードの設置、交換、保守がし易い。
【００２０】
図１２は図１１でコード６を図２の図面で丸数字２（巻く）を利用したものである。アーム２８が反対側にあるとき回すのに格納式のハンドル３１を設けてもよい。またアーム２８が溝から外れないように、引っ張りバネ１７−１の一端をアーム２８に、他端を支持パイプ１−０に接続してもよい。引っ張りバネ１７−１の力でアーム２８を溝に押さえつけられる。側板がスムーズに回転出来るよう、設けた車輪３０が入らないようにアーム２８が溝に入る、当たる部分に、上下が対称で側板の円周と同型である板２９−１をアーム２８に固定、設定してもよい。アーム２８を左右に半回転するだけで溝は塞がれる。
【００２１】
図１３は一人でコード７を解けるように、アーム２８をコード７で跳ね上げて移動させるものである。
コード７をドラムの上面、下面から引き出すを兼用する場合は弦状に加工した、側板４−１の一部４−４の中心より、アームと側板が直角になるようにアームの太さだけずれた位置に配置した差込パイプ３１を対称に配置した２個の穴３２の一方に、アーム２８が入る隙間をあけて挿入、固定する。コード７をドラムの上面から引き出す場合は図では下側である。コード７を跳ね上げれば支持パイプ１−０の上面に持つ支点１１を中心としてアームは反対側に回転、振って移動し差込パイプ３１にぶつかり止まる。アームがコード７の跳ね上がる力のみで外れるように差込パイプ３１を鉄製、アーム２８の差込パイプ３１の当たる所を適度な強さの永久磁石又は機械的な保持機構例えば弾性を有するＵ字型の金具で挟む又は図１２の引っ張りバネ１７−１をアームが回転できるよう設定する。コード７を引っ張っていけば側板はその力で回転し、アーム２８も回って移動し、コード７にぶつかる。ある速度以上ならアームは跳ね上がって反対側に移動する。コード７をドラムの下面から引き出す場合は側板４−４を半回転し、穴３２の他方に差し替える。
またアーム２８が入る上面、下面用隙間を上述した同じ位置に２個側板４−１にあけてもよい。側板４−４を差し替える必要がない。アームと側板が直角にならなくてもよい。
コード７の引き出しをドラムの上面又は下面専用ならアーム２８が入る隙間、切り欠け穴を側板４−１に一つあければよい。
【００２２】
図１４は図１の丸数字２，３の取っ手９、脚８の高さを変える方を表したものである。脚８、取っ手９を固定するブロック体８−１に脚８、取っ手９を安定するような角度で接続、固定する。脚８、取っ手９を伸縮させてネジ１４で動かないように固定する。中空軸３が回転出来るようにブロック体８−１と接続し、中空軸３内にコード６を通す。脚８、取っ手９を縮めれば占有空間を小さくでき、格納に便利である。     図面で丸数字１
また取っ手９、脚８をブロック体８−１の近くで折り曲げてもよい。折り曲げれば占有空間を小さくでき、格納に便利である。                         図面で丸数字２
２本の脚８、取っ手９をブロック体８−２，８−３、８−４に固定する。中空のパイプをブロック体８−４の貫通穴に挿入しブロック体８−２、８−３の幅以上出して固定する。ブロック体８−２、８−３の、中空のパイプの外径より僅かに大きい貫通穴に中空のパイプを挿入する。脚８、取っ手９を任意の角度に回転設定して、中空のパイプの外径に設置したネジ上をナット１４−１で締めて、ブロック体８−２，８−３、８−４、脚８、取っ手９を固定する。脚８、取っ手９をドラム２の長径と平行に置けば占有空間を小さくでき、格納に便利である。ブロック体８−２，８−３、８−４の側面は滑り抵抗が大きいのがよい。中空のパイプの内面に、中空のパイプの内径より僅かに小さい外径の中空軸３を挿入する。中空のパイプと中空軸３をベアリングで接続してもよい。ベアリングの外輪を中空のパイプに、内輪を中空軸３に固定すれば、中空軸３は引っ張っても抜けない。中空軸３にコード６を通す。脚８、取っ手９の回転に図面で丸数字１、２ の伸縮又は折り曲げを加え、併設してもよい。                               図面で丸数字３
脚８、取っ手９は脚８、取っ手９の伸縮、折り曲げ、回転を単独で又は混在して使用してもよい。図１の丸数字１に適用させてもよい。以上は図５のコード６の巻き取りにも適用できる。中空軸３にコード６巻き取りドラムを設定すればよい。コード６巻き取りドラムの形状はドラム２の形状に合わせてもよい。                                        
【産業上の利用可能性】
【００２３】
本装置は機器を使用したまま制限、際限なくコード、ホースを巻いたり、送り出すことができ、また接点が無いので接点の摩耗が無く、電気の場合、火花が散らず、電気絶縁性能が高く湿った場所でも安全に使える。どこでも簡単に設置、使用出来る。ホースの場合液体、気体漏れが無い。
【図面の簡単な説明】
【００２４】
【図１】本装置の外観斜視図である。
【図２】本装置の給電コードの基本的な動作、仕組みを表したもの
【図３】延長コードの巻き付け方を表したもの。
【図４】給電コードの取り付け、接続方を表したもの。
【図５】給電コードの取り付けを表したもの。
【図６】給電コードの取り付けを表したもの。
【図７】本装置の動作を表したもの
【図８】過回転防止装置を表したもの
【図９】引っかけ装置を表したもの。
【図１０】引っかけ装置を表したもの。
【図１１】本装置の動作を表したもの。
【図１２】本装置の動作を表したもの。
【図１３】本装置の動作を表したもの。
【図１４】脚、取っ手の高さを変えるを表したもの。
【符号の説明】
【００２５】
１      引っかけパイプ
１−０、１−２支持体
１−１  アーム
２、２−１    ドラム
３〜３−１    車軸
４、４−１〜４−４   側板
５    取っ手
６     給電コード、ケーブル又はホース
７    延長コード、ケーブル又はホース
８    脚  
８−１〜８−４  接続、固定ブロック体
９     取っ手
１０  プラグ
１１    支点
１２−１    取り出し貫通穴
１３−１、１３−２    押さえ板
１４        ボルト
１４−１  ナット
１５      接続点
１６−１  動滑車
１６−２    定滑車
１７  １７−１  バネ
１８  円盤
１９−１  ピニオン歯車
１９−２  ラック歯車
２０  モータ
２０−１〜２    スイッチ
２０−３〜４    プラグ
２１−１〜２１−４  車輪
２２−１〜２２−２  ベルト
２３  保持具
２４  ひもまたは帯体
２５  すきま
２６−１〜２６−３  形状
２７−１〜２７−３  形状
２８  アーム、パイプ
２９  あて板
３０  車輪
３１  差込パイプ
３２  穴
３３−１〜２  円盤
３４−１〜３  ストッパー
【図１】
2008024501.tif 000003
【図２】
2008024501.tif 000004
【図３】
2008024501.tif 000005
【図４】
2008024501.tif 000006
【図５】
2008024501.tif 000007
【図６】
2008024501.tif 000008
【図７】
2008024501.tif 000009
【図８】
2008024501.tif 000010
【図９】
2008024501.tif 000011
【図１０】
2008024501.tif 000012
【図１１】
2008024501.tif 000013
【図１２】
2008024501.tif 000014
【図１３】
2008024501.tif 000015
【図１４】
2008024501.tif 000016
【手続補正書】
【提出日】平成19年1月4日(2007.1.4)
【手続補正１】
【補正対象書類名】特許請求の範囲
【補正対象項目名】全文
【補正方法】変更
【補正の内容】
【特許請求の範囲】
【請求項１】
コードのような曲げ性又はねじれ性を有する電線の一端を固定して、他端を無接点のドラム２で巻き取る場合、その一端部分の電線６の巻き取り回数又はねじれ回数の許容範囲以内でドラム２を回転させて他端部分の電線７を巻き取る、そして他端部分の電線７が戻らないように、他端部分の電線７をドラム２に設定した凸状又は凹状の戻り防止体１に引っかけて、ドラム２をその一端部分の電線６の巻き取り回数又はねじれ回数の許容範囲以内で逆方向に回転させて他端部分の電線７を巻き取る、以上の操作を繰り返す無接点型電線リール装置。
【請求項２】
コードのような曲げ性又はねじれ性を有する電線の一端を固定して、他端を無接点のドラム２で巻き取る場合、ドラム２上に、巻く電線７の厚さ以上の高さを持つ凸状の支持体１−０を設定し、その支持体に支点を持って、ドラム２の回転方向に対して左右に振る棒状のアーム２８を設定して、そのアーム２８に電線の一端部分６を設定し、一端部分の電線６の巻き取り回数又はねじれ回数の許容範囲以内でドラム２を回転させて他端部分の電線７を巻き取る、そしてアーム２８、電線の一端部分６を逆方向に振り、ドラム２をその一端部分の電線６の巻き取り回数又はねじれ回数の許容範囲以内で同方向に回転させて他端部分の電線７を巻き取る、以上の操作を繰り返す無接点型電線リール装置。
【請求項３】
請求項１に於いて、ドラム２の側面を平ぽったく又は板状にし、脚８又は取っ手９を伸縮又は折り曲げ又は平行にして格納に便利にした装置。
【請求項４】
請求項１に於いて、電線６の巻き許容角度を大きくするためと、電線６をからませない、たるませないように、一端を固定した定滑車と他端を重し又は弾性体の力で緊張させた動滑車に電線６を掛けた装置。
【請求項５】
請求項１於いて、その一端部分の電線６の許容範囲以上にドラム２が回るのを防ぐために、一定の長さのひも状または帯状のものの一端を固定し、他端をドラム２の車軸３またはそれに関連したものに取り付け、巻き取り、ひも状または帯状のものの張力で又はその一端部分の電線の許容範囲角度を３６０度以内に回転数を落とし、ストッパーに当てて又はドラム２の軸３にネジを設定して、ドラム２を回して軸３を左または右に移動させその一端部分の電線６の許容範囲角度以内に設けたストッパーに当てて、ドラムの軸３の回転を制動した装置。
【請求項６】
請求項１に於いて、ドラムの駆動源の回転運動を往復運動に変えるラック歯車１９−１が往運動又は復運動する毎に電線７保持具２３が電線戻り防止体１で分けられたドラム面上の片面を往復し、電線戻り防止体１に電線７が引っかかるようにもう一方の片面に移動してからドラム２を逆回転するようにした装置又は電線７の先に設定したスイッチで、ラック歯車１９−１、保持具２３の駆動源の運転、回転方向を制御した装置
【請求項７】
請求項２に於いて、アーム２８が回転、振って入った状態でドラム２が回転しやすいようにドラム２の側板に、側板の円周から側板の中心に向かってアーム２８が入る幅の切り込み貫通穴をあけた装置。
【請求項８】
請求項２に於いて、ドラム２面上に設置した、巻く電線７の厚さ以上の高さを持つ凸状の支持体１−２に支点を持つ棒状のアーム２８が電線７の張力で回転、振って入れるようにとドラム２が回転しやすいようにドラム２の側板４−１に弦状にアーム２８が入る幅の切り欠け隙間をあけた装置。
【請求項９】
請求項１又は２又は３又は４又は５又は６又は７又８に於いて、電線を流体を流すホースに換えた、回転継ぎ手無しホースリール装置。  
【請求項１０】
請求項１又は２又は３又は４又は５又は６又は７又８に於いて、電線をコードのような曲げ性又はねじれ性を有する、電線、ホース以外の物に換えた無接点型リール装置。
【手続補正２】
【補正対象書類名】図面
【補正対象項目名】全図
【補正方法】変更
【補正の内容】
【図１】
2008024501.tif 000017
【図２】
2008024501.tif 000018
【図３】
2008024501.tif 000019
【図４】
2008024501.tif 000020
【図５】
2008024501.tif 000021
【図６】
2008024501.tif 000022
【図７】
2008024501.tif 000023
【図８】
2008024501.tif 000024
【図９】
2008024501.tif 000025
【図１０】
2008024501.tif 000026
【図１１】
2008024501.tif 000027
【図１２】
2008024501.tif 000028
【図１３】
2008024501.tif 000029
【図１４】
2008024501.tif 000030
【手続補正書】
【提出日】平成19年5月1日(2007.5.1)
【手続補正１】
【補正対象書類名】特許請求の範囲
【補正対象項目名】全文
【補正方法】変更
【補正の内容】
【特許請求の範囲】
【請求項１】
本装置は従来のコードのような曲げ性又はねじれ性を有する電線を集電用接点付きのドラムで巻き取る場合に於いて、給電線６と延長線７を直に接続して又はそれらを１本の電線で通して集電用接点を無くして、そのドラム２を、給電線６に損傷を与えない巻き取り回数又はねじれ回数の許容範囲以内で回転させて延長線７を巻き取る、そして延長線７が戻らないように、延長線７をドラム２上に設定した凸状又は凹状の戻り防止体１に引っかけてから、ドラム２を給電線６の巻き取り回数又はねじれ回数の許容範囲以内で逆方向に回転させて延長線７を巻き取る、以上の操作を延長線７の全長以内で繰り返すようにして、ドラムの集電用接点を無くしたを特徴とする無接点型電線リール装置。
【請求項２】
本装置は従来のコードのような曲げ性又はねじれ性を有する電線を集電用接点付きのドラムで巻き取る場合に於いて、給電線６と延長線７を直に接続して又はそれらを１本の電線で通して集電用接点を無くして、そのドラム２上にドラム２の回転方向に対して左右に振る長手のアーム２８を設定し、そのアーム２８に給電線６を設定し、給電線６に損傷を与えない巻き取り回数又はねじれ回数の許容範囲以内でドラム２を回転させて延長線７を巻き取る、そしてアーム２８を逆方向に振り、ドラム２を、給電線６の巻き取り回数又はねじれ回数の許容範囲以内で同方向に回転させて延長線７を巻き取る、以上の操作を延長線７の全長以内で繰り返すようにしてドラムの集電用接点を無くしたを特徴とする無接点型電線リール装置。
【請求項３】
請求項１に於いて、ドラム２の側面を平ぽったく又は板状にして脚８又は取っ手９を伸縮又は折り曲げ又は平行にして本装置を格納しやすくした無接点型電線リール装置。
【請求項４】
請求項１に於いて、給電線６の長さを長くして巻き許容角度を大きくするためと、給電線６をからませない、たるませないように、固定した定滑車と重し又は弾性体の力で緊張させた動滑車間に給電線６を掛けた無接点型電線リール装置。
【請求項５】
請求項１於いて、その給電線６の許容範囲以上にドラム２が回るのを防ぐために、一定の長さのひも状または帯状のものの一端を固定し、他端をドラム２の車軸３またはそれに関連したものに取り付けて巻き取り、短くなったひも状または帯状の張力で又はその給電線の許容範囲角度を３６０度以内に回転数を落としてストッパーに当てて又はドラム２の軸３にネジを設定して、ドラム２を回して軸３を左または右に移動させその給電線６の許容範囲角度以内に設けたストッパーに当てて、ドラムの軸３の回転を制動した無接点型電線リール装置。
【請求項６】
請求項１に於いて、駆動源による回転を往復運動に変えるラック歯車１９−１が往運動又は復運動する毎に延長線７保持具２３が電線戻り防止体１で分けられたドラム面上の片面を往復し、電線戻り防止体１に延長線７が引っかかるようにもう一方の片面に移動してからドラム２を逆回転するように互いを連結、連動させた装置又は延長線７の先に設定したスイッチで、ラック歯車１９−１、保持具２３の駆動源の運転、回転方向を制御した無接点型電線リール装置。
【請求項７】
請求項２に於いて、アーム２８が回転、振って入った状態でドラム２がスムーズに回転しやすいようにドラム２の側板４−１に、側板の円周から側板の中心に向かってアーム２８が入る幅の切り込み貫通穴をあけた無接点型電線リール装置。
【請求項８】
請求項２に於いて、ドラム２面上に設置した、巻く延長線７の厚さ以上の高さを持つ凸状の支持体１−２に支点を持つアーム２８が延長線７の張力で、支持体１−２と概直角平面上をその支点を中心として回転して振って入れるようにドラム２の側板４−１に弦状にアーム２８が入る幅の切り欠け隙間をあけた１人操作用無接点型電線リール装置。
【請求項９】
請求項１又は２又は３又は４又は５又は６又は７又８に於いて、電線を流体を流すホースに換えた、回転継ぎ手無しホースリール装置。  
【請求項１０】
請求項１又は２又は３又は４又は５又は６又は７又８に於いて、電線、ホースのような曲げ性又はねじれ性を有して、電線、ホース以外の長い形状の物に換えたリール装置。